(57)【要約】      （修正有）【課題】回路基板との接続信頼性を確保しつつ、部品点数の増加を抑制できる液晶表示装置を提供する。【解決手段】液晶表示装置１は、第１主面21ａに表示領域ＥＤおよび表示領域と重なる入力領域ＥＩを有する第１基板21と、第１基板に対向させて配置された第２基板22と、第１基板および第２基板の間に配置された液晶層と、入力領域と重なるように配置された検出電極と、第１基板の第１主面の縁に沿って配列して検出電極に電気的に接続された外部接続用の複数の電極端子と、複数の電極端子に導電性接合部材を介して接続された第１回路基板６と、表示領域に重なるように配置された第１偏光板４と、第１偏光板に重なるように配置された第２偏光板とを備えており、第１偏光板は、外周の一部が表示領域から複数の電極端子に重なるところまで延在して第１回路基板の一部を覆っている。【選択図】図１
2014106321.tif 000002
【特許請求の範囲】
【請求項１】
外側主面に表示領域および該表示領域と重なる入力領域を有する第１基板と、該第１基板に対して互いに内側主面同士を対向させて配置された第２基板と、前記第１基板および前記第２基板の間に配置された液晶層と、前記入力領域に重なるように前記第１基板の前記外側主面上に配置された、該入力領域に近接する入力手段との間で容量の変化を検出する検出電極と、前記入力領域の外側に位置する領域において前記第１基板の前記外側主面の縁に沿って配列して前記検出電極に電気的に接続された外部接続用の複数の電極端子と、複数の該電極端子にそれぞれ導電性接合部材を介して接続された複数の回路電極端子を有する回路基板と、前記表示領域に重なるように前記第１基板の前記外側主面上に配置された第１偏光板と、該第１偏光板に重なるように前記第２基板の前記外側主面上に配置された第２偏光板とを備えており、
前記第１偏光板は、外周の一部が前記表示領域から複数の前記電極端子に重なるところまで延在して前記回路基板の一部を覆っていることを特徴とする液晶表示装置。
【請求項２】
前記第１偏光板上に配置された保護フィルムをさらに備え、
該保護フィルムは、外周の一部が前記第１偏光板の前記外周の一部に重なっている請求項１に記載の液晶表示装置。
【請求項３】
前記第１偏光板は、前記回路基板の一部を覆っている部位に隣接するスリットを有する請求項１または２に記載の液晶表示装置。
【発明の詳細な説明】
【技術分野】
【０００１】
本発明は、携帯電話、デジタルカメラ、携帯ゲーム機または携帯情報端末などの様々な用途に用いられる液晶表示装置に関する。
【背景技術】
【０００２】
液晶表示装置は、外側主面に表示領域を有する第１基板と、第１基板に対して互いに内側主面同士を対向させて配置された第２基板と、第１基板および第２基板の間に配置された液晶層と、表示領域に重なるように第１基板の外側主面上に設けられた第１偏光板と、第１偏光板と重なるように第２基板の外側主面上に設けられた第２偏光板とを備える。
【０００３】
また、このような液晶表示装置の中には、第１基板の外側主面に設けられ、指などの入力手段との間で容量の変化を生じる複数の検出電極と、各々の検出電極と電気的に接続され、第１基板の外側主面の縁に沿って配列した外部接続用の複数の電極端子と、導電性接合部材を介して複数の電極端子に接続された回路基板とをさらに備える入力機能付きの液晶表示装置も知られている（例えば、特許文献１参照）。
【先行技術文献】
【特許文献】
【０００４】
【特許文献１】特開２００８−１３４５２２号公報
【発明の概要】
【発明が解決しようとする課題】
【０００５】
しかしながら、このような液晶表示装置では、回路基板に接続される複数の電極端子が大気中に含まれる水分等を吸収してしまうと、電極端子が腐食して回路基板との接続信頼性が低下する可能性があるという問題点があった。
【０００６】
一方、回路基板と複数の電極端子との接続領域を保護膜で覆うと、別部材として保護膜が必要となるので部品点数が増加するという問題点があった。
【０００７】
本発明は、上記の問題点に鑑みてなされたものであり、その目的は、回路基板との接続信頼性を確保しつつ、部品点数の増加を抑制できる液晶表示装置を提供することである。
【課題を解決するための手段】
【０００８】
本発明に係る液晶表示装置は、外側主面に表示領域および該表示領域と重なる入力領域を有する第１基板と、該第１基板に対して互いに内側主面同士を対向させて配置された第２基板と、前記第１基板および前記第２基板の間に配置された液晶層と、前記入力領域に重なるように前記第１基板の前記外側主面上に配置された、該入力領域に近接する入力手段との間で容量の変化を検出する検出電極と、前記入力領域の外側に位置する領域において前記第１基板の前記外側主面の縁に沿って配列して前記検出電極に電気的に接続された外部接続用の複数の電極端子と、複数の該電極端子にそれぞれ導電性接合部材を介して接続された複数の回路電極端子を有する回路基板と、前記表示領域に重なるように前記第１基板の前記外側主面上に配置された第１偏光板と、該第１偏光板に重なるように前記第２基板の前記外側主面上に配置された第２偏光板とを備えており、前記第１偏光板は、外周の一部が前記表示領域から複数の前記電極端子に重なるところまで延在して前記回路基板の一部を覆っていることを特徴とする。
【発明の効果】
【０００９】
本発明に係る液晶表示装置によれば、回路基板との接続信頼性を確保しつつ、部品点数の増加を抑制できる。
【図面の簡単な説明】
【００１０】
【図１】本発明の第１の実施形態における液晶表示装置を表す平面図である。
【図２】図１のＩ−Ｉ線に沿った断面図である。
【図３】第２基板上に設けられた電極、配線などを表した平面図である。
【図４】図３のII−II線に沿った液晶表示装置の断面図である。
【図５】図１の液晶表示装置における第１基板上に設けられた検出電極、検出用配線、第１回路基板、第１偏光板および保護フィルムを表す平面図である。
【図６】図１の液晶表示装置における第１回路基板と第１基板との接続領域を表す平面図である。
【図７】図６のIII−III線に沿った断面図である。
【図８】本発明の第２の実施形態における液晶表示装置の要部を示す断面図である。
【図９】本発明の第３の実施形態における液晶表示装置の要部を示す平面図である。
【図１０】図９のIV−IV線に沿った断面図である。
【発明を実施するための形態】
【００１１】
［第１の実施形態］
本発明の第１の実施形態における液晶表示装置１について、図１〜図７を参照しながら説明する。
【００１２】
液晶表示装置１は、液晶パネル２と、液晶パネル２に向けて光を出射する光源装置３と、液晶パネル２上に配置される第１偏光板４と、液晶パネル２と光源装置３との間に配置される第２偏光板５と、液晶パネル２に接続された第１回路基板６および第２回路基板７と、第１偏光板４上に配置された保護フィルム８と、液晶パネル２に接続されたドライバＩＣ９とを備えている。
【００１３】
液晶パネル２では、第１基板21と第２基板22とが対向配置され、第１基板21と第２基板22との間に液晶層23が設けられているとともに、この液晶層23を取り囲むように第１基板21と第２基板22とを接合するシール材24が設けられている。
【００１４】
第１基板21は、複数の画素Ｐからなる表示領域ＥＤおよび表示領域ＥＤに重なる入力領域ＥＩを有する第１主面21ａと、第１主面21ａとは反対側に位置する第２主面21ｂとを有している。第１基板21の材料は、透光性を有するものが挙げられ、例えばガラスなどである。
【００１５】
第１基板21の第１主面21ａ上には、Ｘ方向およびＹ方向に沿って配列された複数の検出電極211と、検出電極211に接続された複数の検出用配線212と、検出用配線212を介して検出電極211と電気的に接続された外部接続用の複数の電極端子213と、Ｙ方向に配列する検出電極211の接続部および複数の検出用配線212を覆うように配置された第１絶縁膜214と
、Ｙ方向に配列する検出電極211の検出部およびＸ方向に配列する検出電極211を覆うように第１絶縁膜214に設けられた第２絶縁膜215とが設けられている。
【００１６】
複数の検出電極211は、入力領域ＥＩに近接する指などの入力手段との間で容量の変化
を検出する機能を有する。複数の検出電極211は入力領域ＥＩに重なるように設けられて
いる。検出電極211は、複数のひし形状の検出部および隣り合う検出部を接続する接続部
を有する。なお、検出部の形状は特に限定されない。複数の検出部が接続部によってＹ方向に接続されてなる検出電極211はＸ方向に配列されている。また、複数の検出部が接続
部によってＸ方向に接続されてなる検出電極211はＹ方向に配列されている。Ｘ方向に配
列された検出電極211の接続部とＹ方向に配列された検出電極211の接続部とが交差している。
【００１７】
Ｘ方向に配列する検出電極211は第１絶縁膜214に設けられている。また、Ｙ方向に配列する検出電極211の接続部は第１基板21の第１主面21ａに設けられているとともに、Ｙ方
向に配列する検出電極211の検出部は第１絶縁膜214に設けられている。なお、第１基板21の第１主面21ａに位置する検出電極211の接続部と第１絶縁膜214に位置する検出電極211
の検出部とは、第１絶縁膜214を貫通するコンタクトホールＣを介して接続されている。
すなわち、Ｘ方向に配列する検出電極211とＹ方向に配列する検出電極211とは第１絶縁膜214を介して立体交差することで、電気的に絶縁されている。
【００１８】
検出電極211の材料としては、透光性および導電性を有するものが挙げられ、例えばＩ
ＴＯ（Indium Tin Oxide）、ＩＺＯ（Indium Zinc Oxide）、ＡＴＯ（Ａntimony Tin Oxide）、ＡＺＯ（Ａl-Doped Zinc Oxide）、酸化錫、酸化亜鉛または導電性高分子によって形成される。
【００１９】
検出用配線212は第１基板21の第１主面21ａに設けられている。検出用配線212は検出電極211に電気的に接続されている。検出用配線212は、入力領域ＥＩの外側に位置する領域に設けられている。検出用配線212の材料としては、導電性を有するものが挙げられ、例
えば、ＩＴＯ、酸化錫、アルミニウム、アルミニウム合金、銀または銀合金などである。
【００２０】
第１絶縁膜214は交差する検出電極211同士を電気的に絶縁する機能を有する。第１絶縁膜214は入力領域ＥＩおよび入力領域ＥＩの外側に位置する領域と重なるように配置され
ている。第１絶縁膜214は、Ｙ方向に配列する検出電極211の接続部および検出用配線212
を覆うように第１基板21の第１主面21ａ上に設けられている。第１絶縁膜214の材料とし
ては、透光性および絶縁性を有するものが挙げられ、例えば、アクリル樹脂などである。
【００２１】
第２絶縁膜215は、Ｘ方向に配列する検出電極211およびＹ方向に配列する検出電極211
の検出部を覆うように第１絶縁膜214上に設けられている。第２絶縁膜215は入力領域ＥＩおよび入力領域ＥIの外側に位置する領域に設けられている。
【００２２】
電極端子213は、検出用配線212を介して検出電極211と電気的に接続されている。また
、電極端子213は導電性接合部材Ｂを介して第１回路基板６と接続されている。電極端子213は、入力領域ＥＩの外側に位置する領域に設けられているとともに、第１基板21の第１主面21ａの縁（一辺）に沿って配列している。
【００２３】
また、電極端子213は上層電極端子213ａおよび下層電極端子213ｂを有している。下層
電極端子213ｂは第１基板21の第１主面21ａに設けられている。下層電極端子213ｂは検出用配線212と同じ材料で形成してもよい。第１絶縁膜214は各々の下層電極端子213ｂの形
成領域に貫通孔Ｔを有している。また、貫通孔Ｔには上層電極端子213ａの一部が位置し
ており、上層電極端子213ａの他部は第１絶縁膜214上に位置している。貫通孔Ｔ内に位置する上層電極端子213ａの一部が下層電極端子213ｂに接触することで、上層電極端子213
ａと下層電極端子213ｂとは接続される。なお、上層電極端子213ａは、導電性材料で形成され、例えばＩＴＯ、ＩＺＯなどの酸化物導電膜などで形成される。
【００２４】
次に、入力位置の検出原理について説明する。
【００２５】
第１基板21の第１主面21ａ上には、入力領域ＥＩにおいて複数の検出電極211がＸ方向
およびＹ方向に配列されており、隣接する検出電極211間では浮遊容量が発生する。例え
ば、Ｘ方向に配列する複数の検出電極211をグランドなどの一定電位に設定し、Ｙ方向に
配列する複数の検出電極に信号電圧を印加すると、隣接する検出電極211間で電界が発生
する。この状態で、使用者の指などの入力手段が入力領域ＥＩへ近づくと、入力手段が近接した領域に位置する複数の検出電極211の間で電界の大きさが変化する。この変化は電
圧変化として検出手段であるコントローラ（不図示）によって読み取られる。コントローラは所定値を超えた電圧変化をした複数の検出電極211を認識し、認識した複数の検出電
極が配置された領域が入力位置として特定される。
【００２６】
第１基板21の第２主面21ｂ上には、遮光膜216およびカラーフィルタ217が設けている。
【００２７】
遮光膜216は光を遮る機能を有する。遮光膜216は、第１基板21の第２主面21ｂ上に設けられている。また。遮光膜216は、画素Ｐの外周に沿って格子状に設けられており、すな
わち、ゲート配線221およびソース配線223に平面視して重なるように設けられている。なお、本実施形態における遮光膜216は第２主面21ｂ上に格子状に形成されているが、これ
には限られない。遮光膜216の材料は、例えば、遮光性の高い色（例えば黒色）の染料ま
たは顔料が添加された樹脂、またはクロムなどの金属が挙げられる。
【００２８】
カラーフィルタ217は、可視光のうち特定の波長光のみを透過させる機能を有する。複
数のカラーフィルタ217は、第１基板21の第２主面21ｂ上に位置しており、各画素Ｐごと
に設けられている。各カラーフィルタ217は、赤（Ｒ）、緑（Ｇ）および青（Ｂ）のいず
れかの色を有している。また、カラーフィルタ217は、上記の色に限られず、例えば、黄
色（Ｙ）、白（Ｗ）などの色を有してもよい。カラーフィルタ217の材料としては、例え
ば染料または顔料を添加した樹脂が挙げられる。
【００２９】
第２基板22は、第１基板21の第２主面21ｂに対向する第１主面22ａと、第１主面22ａの反対側に位置する第２主面22ｂとを有している。第２基板22は第１基板21と同様の材料で形成できる。
【００３０】
第２基板22の第１主面22ａ上には、複数のゲート配線221が設けられており、複数のゲ
ート配線221を覆うようにゲート絶縁膜222が設けられている。このゲート絶縁膜222上に
は複数のソース配線223が設けられているとともに、複数のソース配線223を覆うように平坦化膜224が設けられている。また、平坦化膜224上には共通電極225が設けられている。
共通電極225を覆うように平坦化膜224上には層間絶縁膜226が設けられており、この層間
絶縁膜226上には複数の信号電極227が設けられている。
【００３１】
ゲート配線221は、ドライバＩＣ９から供給される電圧を薄膜トランジスタTFTに印加する機能を有する。図３に示すように、複数のゲート配線221はＹ方向に沿って配列されて
いる。また、ゲート配線221は線状であって、Ｘ方向に沿って延在している。
【００３２】
ゲート絶縁膜222はゲート配線221を覆うように第１主面22ａ上に設けられている。ゲート絶縁膜222は、窒化シリコン、酸化シリコンなどの絶縁性を有する材料によって形成さ
れる。なお、ゲート絶縁膜222は、上記のスパッタリング法、蒸着法または化学気相成長
法などによって第２基板22の第１主面22ａ上に形成できる。
【００３３】
ソース配線223は、ドライバＩＣ９から供給される信号電圧を薄膜トランジスタTFTを介して信号電極227に印加する機能を有する。ソース配線223はゲート絶縁膜222上に設けら
れている。図３に示すように、複数のソース配線223は線状に形成されているとともに、
Ｙ方向に延在している。また、複数のソース配線223はＸ方向に沿って配列されている。
ソース配線223はゲート配線221と同様の材料で形成してもよい。
【００３４】
なお、画素Ｐとは、複数のゲート配線221と複数のソース配線223とによって囲まれた領
域である。
【００３５】
薄膜トランジスタTFTは、非晶質シリコン、多結晶シリコンまたは酸化物半導体などの
半導体層と、この半導体層上に設けられるとともに、ソース配線223に接続されたソース
電極と、ドレイン電極とを有する。薄膜トランジスタTFTでは、ゲート配線221を介して半導体層に印加される電圧に応じてソース電極およびドレイン電極間の半導体層の抵抗が変化することで、信号電極227への画像信号の書き込みまたは非書き込みが制御される。
【００３６】
平坦化膜224はソース配線223を覆うようにゲート絶縁膜222上に設けられている。平坦
化膜224は有機材料によって形成され、例えば、アクリル系樹脂、エポキシ系樹脂または
ポリイミド系樹脂などの樹脂で形成される。なお、平坦化膜224の膜厚は例えば１μｍ〜
５μｍの範囲で設定されている。
【００３７】
共通電極225は、ドライバＩＣ９から印加された電圧によって信号電極227との間で電界を発生させる機能を有する。共通電極225は平坦化膜224上に設けられている。共通電極225は、透光性および導電性を有する材料によって形成され、例えばＩＴＯ、ＩＺＯ、ＡＴＯ、ＡＺＯ、酸化錫、酸化亜鉛または導電性高分子によって形成される。
【００３８】
層間絶縁膜226は、信号電極227と共通電極225とを電気的に絶縁する機能を有する。層
間絶縁膜226はゲート絶縁膜222と同様の材料で形成してもよい。
【００３９】
信号電極227は、ドライバＩＣ９から印加された信号電圧によって共通電極225との間で電界を発生させる機能を有する。複数の信号電極227は層間絶縁膜226上に設けられている。各信号電極227には開口が形成されている。なお、信号電極227は共通電極225と同様の材料で形成してもよい。
【００４０】
液晶層23は、第１基板21と第２基板22との間に設けられている。液晶層23は、ネマティック液晶などを含んでいる。
【００４１】
シール材24は、第１基板21と第２基板22とを貼り合わせる機能を有する。シール材24は第１基板21と第２基板22との間に設けられている。このシール材24は、エポキシ樹脂などによって形成される。
【００４２】
導電性接合部材Ｂは、導電性を有する接合部材であって、例えば異方性導電膜などである。
【００４３】
第１回路基板６は、導電性接合部材Ｂを介して第１基板21に接続されている。第１回路基板６はその一部が第１基板21と対向している。第１回路基板６は、基体61、配線パターンおよび回路電極端子62を有する。
【００４４】
基体61は、複数の配線パターンおよび複数の回路電極端子62を支持する機能を有する。基体は絶縁性の材料で形成され、例えば樹脂が挙げられる。また、基体をポリイミド樹脂などの可撓性を有する材料で形成すれば、第１回路基板６を柔軟に折り曲げることが可能となるので、液晶表示装置１を電子機器などに搭載する場合に、よりコンパクトに搭載可能になる。
【００４５】
回路電極端子62は、導電性接合部材Ｂを介して電極端子213に接続されている。各々の
回路電極端子62は各々の電極端子213に対向している。回路電極端子62は、導電性を有す
る材料で形成され、例えば銅などで形成される。
【００４６】
第２回路基板７は、導電性接合部材Ｂを介して第２基板22に接続されている。第２回路基板７はその一部が第２基板22と対向している。
【００４７】
第１偏光板４は、所定の振動方向の光を選択的に透過させる機能を有する。この第１偏光板４は第１基板21の第１主面21ａ上に設けられている。具体的には、第１偏光板４は第２絶縁膜215上に設けられている。第１偏光板４は表示領域ＥＤに重なるように位置して
いるとともに、表示領域ＥＤの外側に位置する領域にも延在している。また、第１偏光板４の外周の一部は第１回路基板６の一部を覆っている。また、第１偏光板４の外周の一部は、複数の電極端子213および回路電極端子62と重なって設けられている。また、第１偏
光板４は検出用配線211の形成領域に重なるように設けられている。
【００４８】
保護フィルム８は、第１基板21の第１主面21ａ上に設けられた部材を保護する機能を有している。保護フィルム８は第１偏光板４に設けられている。保護フィルム８は表示領域ＥＤおよび表示領域ＥＤの外側に位置する領域に設けられている。保護フィルム８はポリエチレンテレフタレート（ＰＥＴ）などのポリエステルフィルムによって形成されている。
【００４９】
液晶表示装置１では、第１偏光板４は外周の一部が表示領域ＥＤから複数の電極端子212に重なるところまで延在して第１回路基板６の一部を覆っている。すなわち、回路電極端子62と電極端子213との接続領域が第１偏光板４によって覆われているので、第１偏光板４によって電極端子213が大気中に含まれる水分等を吸収することを低減でき、電極端子213の腐食を低減し、第１回路基板６との接続信頼性が低下することを抑制できる。さらに、第１回路基板６と電極端子213との接続領域を保護する保護膜として第１偏光板４を利用しているので、部品点数が増加することを低減できる。
【００５０】
また、液晶表示装置１では、保護フィルム８ではなく第１偏光板４の外周の一部が第１回路基板６の一部を覆っている。保護フィルム８は第１偏光板４上に位置しているので、保護フィルム８の外周の一部が第１回路基板６の一部を覆うと、第１回路基板６の近傍で保護フィルム８と第１絶縁膜214との距離が離れやすくなり、第１回路基板６の近傍で保
護フィルム８と第１絶縁膜214との間にできる空間SPが大きくなりやすい。これに対して
、液晶表示装置１では、保護フィルム８に比べて第１基板21側に位置する第１偏光板４の外周の一部が第１回路基板６の一部を覆っているので、第１回路基板６の近傍で第１偏光板４と第１絶縁膜214とが離れることを低減でき、第１回路基板６の近傍で第１偏光板４
と第１絶縁膜214との間にできる空間SPを小さくできる。
【００５１】
また、液晶表示装置１では、第１偏光板４が検出用配線212の形成領域に重なるように
設けられているので、第１偏光板４によって検出用配線212が視認されにくくなる。加え
て、液晶表示装置１では、保護フィルム８が検出用配線212の形成領域に重なるように設
けられている。すなわち、第１偏光板４に加えて保護フィルム８が検出用配線212の形成
領域に重なっているので、検出用配線212が視認されにくくなる。
【００５２】
また、保護フィルム８が複数の検出用配線212と重なる領域において、保護フィルム８
に着色部材を形成してよい。これによって、保護フィルム８が加飾され、検出用配線212
が視認されにくくなる。
【００５３】
第２偏光板５は、所定の振動方向の光を選択的に透過させる機能を有する。この第２偏光板５は、第２基板22の第２主面22ｂに対向するように配置されている。第２偏光板５は、第１偏光板４に重なるように位置している。
【００５４】
光源装置３は、液晶パネル２に向けて光を出射する機能を有する。光源装置３は、光源
31と、導光板32とを有している。なお、本実施形態における光源装置３では、光源31にＬＥＤなどの点光源を採用しているが、冷陰極管などの線光源を採用してもよい。
【００５５】
ドライバＩＣ９は、ゲート配線221、ソース配線223などの駆動を制御する機能を有する。ドライバＩＣ９は、導電性接合部材Ｂを介して第２基板22の第１主面22ａ上に設けられている。本実施形態では、ゲート配線221用のドライバＩＣ９と、ソース配線223用のドライバＩＣ９との２つのドライバＩＣが設けられている。
【００５６】
［第２の実施形態］
図８は、第２の実施形態における液晶表示装置１Ａの要部を示す平面図である。
【００５７】
液晶表示装置１Ａは、液晶表示装置１に比べて、保護フィルム８の外周の一部が第１偏光板４の外周の一部を介して第１回路基板６上に位置している点で異なる。
【００５８】
液晶表示装置１Ａでは、保護フィルム８が外周の一部が第１偏光板４の外周の一部に重なっていることで、第１偏光板４に加えて保護フィルム８によって回路電極端子62と電極端子213との接続領域が覆われるので、第１偏光板４および保護フィルム８によって電極
端子213が大気中に含まれる水分等を吸収することを低減でき、電極端子213の腐食を低減し、第１回路基板６との接続信頼性が低下することを抑制できる。さらに、第１回路基板６と電極端子213との接続領域を保護する保護膜として保護フィルム８を利用しているの
で、部品点数が増加することを低減できる。
【００５９】
［第３の実施形態］
図９は、第３の実施形態における液晶表示装置１Ｂの要部を表す図である。図10は、図９のIV−IV線に沿った断面図である。
【００６０】
液晶表示装置１Ｂは液晶表示装置１に比べて、第１偏光板４は第１回路基板６の一部を覆っている部位に隣接するスリットＳを有する点で異なっている。
【００６１】
第１偏光板４のスリットＳは、電極端子213群に対して電極端子213の配列方向（Ｙ方向）の両側に形成されている。第１偏光板４の外周の一部が第１回路基板６を覆うと、第１回路基板６の厚みによって第１回路基板６の近傍で第１偏光板４と第１絶縁膜214との間に空間SPができる可能性がある。これに対して、電極端子213群に対して電極端子213の配列方向（Ｙ方向）の両側にスリットＳを形成することで、第１回路基板６の厚みによって第１回路基板６の近傍で第１偏光板４と第１絶縁膜214との間にできる空間SPを小さくすることができる。したがって、第１偏光板４によって電極端子213が大気中に含まれる水分等を吸収することを低減でき、電極端子213の腐食を低減し、第１回路基板６との接続信頼性が低下することを抑制できる。
【００６２】
また、第１偏光板４のスリットＳは、電極端子213群に対して電極端子213の配列方向（Ｙ方向）の両側に限られず、第１回路基板６の一部を覆っている部位に隣接して形成すればよい。なお、液晶表示装置１Ａのように、保護フィルム８の外周の一部が第１回路基板６の一部を覆う場合には、第１偏光板４だけでなく保護フィルム８にもスリットＳを形成してもよい。
【００６３】
本発明は第１〜第３の実施形態に特に限定されるものではなく、本発明の要旨の範囲内で種々の変更および改良が可能である。
【符号の説明】
【００６４】
１、１Ａ、１Ｂ  液晶表示装置
２  液晶パネル
ＥＤ  表示領域
Ｐ  画素
ＥＩ  入力領域
21  第１基板
21ａ  第１主面（外側主面）
21ｂ  第２主面（内側主面）
211  検出電極
212  検出用配線
213  電極端子
213ａ  上側電極端子
213ｂ  下側電極端子
214  第１絶縁膜
215  第２絶縁膜
216  遮光膜
217  カラーフィルタ
22  第２基板
22ａ  第１主面（内側主面）
22ｂ  第２主面（外側主面）
221  ゲート配線
222  ゲート絶縁膜
223  ソース配線
224  平坦化膜
225  共通電極
226  第２層間絶縁膜
227  信号電極
TFT  薄膜トランジスタ
Ｂ  接合部材
Ｓ  スリット
SP  空間
23  液晶層
24  シール材
３  光源装置
31  光源
32  導光板
４  第１偏光板
５  第２偏光板
６  第１回路基板
61  基体
62  回路電極端子
７  第２回路基板
８  保護フィルム
９  ドライバＩＣ
【図１】
2014106321.tif 000003
【図２】
2014106321.tif 000004
【図３】
2014106321.tif 000005
【図４】
2014106321.tif 000006
【図５】
2014106321.tif 000007
【図６】
2014106321.tif 000008
【図７】
2014106321.tif 000009
【図８】
2014106321.tif 000010
【図９】
2014106321.tif 000011
【図１０】
2014106321.tif 000012